(57)【要約】【課題】部分発光動作を行う光源部を用いて映像表示を行う際に、低コスト化を図りつつ表示画質を向上させることが可能な液晶表示装置を提供する。【解決手段】部分駆動化処理部４２は、映像信号Ｄ１に基づいて発光パターン信号ＢＬ０を生成した後に、この発光パターン信号ＢＬ０に対して高フレームレート変換処理を行うことにより、発光パターン信号ＢＬ１を生成する。また、映像信号Ｄ１に対して動き補償を用いたフレーム補間による高フレームレート変換処理を行った後に、この高フレームレート変換処理後の映像信号（映像信号Ｄ３）と発光パターン信号ＢＬ１とに基づいて、部分駆動用映像信号Ｄ４を生成する。部分駆動化処理部４２全体としての小型化を図りつつ、動き補償を用いたフレーム補間によって動画像表示時の残像感を軽減することができると共に、補間フレームにおける画質劣化を低減もしくは回避することができる。【選択図】図４
2011221292.tif 000002
【特許請求の範囲】
【請求項１】
互いに独立して制御可能であるように構成された複数の部分発光部を有する光源部と、
前記光源部から前記部分発光部単位で射出された光を入力映像信号に基づいて変調することにより、映像表示を行う液晶表示パネルと、
前記入力映像信号に基づいて、前記光源部における前記部分発光部単位での発光パターンを示す発光パターン信号と、部分駆動用映像信号とをそれぞれ生成する部分駆動化処理部を有し、前記発光パターン信号を用いて前記光源部の各部分発光部に対する発光駆動を行うと共に、前記部分駆動用映像信号を用いて前記液晶表示パネルに対する表示駆動を行う表示制御部と
を備え、
前記部分駆動化処理部は、
前記入力映像信号に基づいて、前記部分発光部単位での発光パターンを示す発光パターン原信号を生成し、この発光パターン原信号に対して第１の高フレームレート変換処理を行うことにより、前記発光パターン信号を生成すると共に、
前記入力映像信号に対して、動き補償を用いたフレーム補間による第２の高フレームレート変換処理を行い、この第２の高フレームレート変換処理後の入力映像信号と前記発光パターン信号とに基づいて、前記部分駆動用映像信号を生成する
液晶表示装置。
【請求項２】
前記第１の高フレームレート変換処理では、前記発光パターン原信号のオリジナルフレームをそのまま重ねて用いてフレーム補間を行うことにより、前記発光パターン信号を生成する
請求項１に記載の液晶表示装置。
【請求項３】
前記部分駆動化処理部は、
前記入力映像信号に対して所定の低解像度化処理を行うことにより、低解像度化信号を生成する低解像度化処理部と、
前記低解像度化信号に基づいて前記発光パターン原信号を生成する発光パターン生成部と、
前記発光パターン原信号に対して前記第１の高フレームレート変換処理を行うことにより、前記発光パターン信号を生成する第１のフレームレート変換部と、
前記入力映像信号に対して前記第２の高フレームレート変換処理を行う第２のフレームレート変換部と、
前記発光パターン信号に対して所定の拡散処理を行う拡散部と、
前記第２の高フレームレート変換処理後の入力映像信号と、前記拡散処理後の発光パターン信号とに基づいて、前記部分駆動用映像信号を生成する第１の映像信号生成部と
を有する請求項１または請求項２に記載の液晶表示装置。
【請求項４】
前記部分駆動化処理部は、
前記入力映像信号に対して所定の低解像度化処理を行うことにより、低解像度化信号を生成する低解像度化処理部と、
前記低解像度化信号に基づいて前記発光パターン原信号を生成する発光パターン生成部と、
前記発光パターン原信号に対して前記第１の高フレームレート変換処理を行うことにより、前記発光パターン信号を生成する第１のフレームレート変換部と、
前記入力映像信号に対して前記第２の高フレームレート変換処理を行う第２のフレームレート変換部と、
前記発光パターン原信号に対して、前記第１の高フレームレート変換処理と所定の拡散処理とをこの順序または逆の順序で施す信号処理を行う信号処理部と、
前記第２の高フレームレート変換処理後の入力映像信号と、前記信号処理部による信号処理後の発光パターン原信号とに基づいて、前記部分駆動用映像信号を生成する第２の映像信号生成部と
を有する請求項１または請求項２に記載の液晶表示装置。
【請求項５】
前記光源部が、直下型またはエッジライト型の光源部である
請求項１または請求項２に記載の液晶表示装置。
【発明の詳細な説明】
【技術分野】
【０００１】
本発明は、複数の部分発光部を有する光源部を備えた液晶表示装置に関する。
【背景技術】
【０００２】
近年、薄型テレビ、携帯端末装置のディスプレイとして、画素毎にＴＦＴ（Thin Film Transistor；薄膜トランジスタ）を設けたアクティブマトリクス型の液晶表示装置（ＬＣＤ；Liquid Crystal Display）が多く用いられている。このような液晶表示装置では、一般に、画面上部から下部に向かって、各画素の補助容量素子および液晶素子に映像信号が線順次に書き込まれることにより各画素が駆動される。
【０００３】
液晶表示装置に用いられるバックライトとしては、光源に冷陰極管（ＣＣＦＬ；Cold Cathode Fluorescent Lamp）を用いたものが主流であるが、近年では発光ダイオード（ＬＥＤ；Light Emitting Diode）を用いたものも登場してきている。
【０００４】
このようなＬＥＤ等をバックライトとして用いた液晶表示装置では、従来より、光源部を複数の部分発光部に分割して構成し、この部分発光部単位で独立して発光動作を行う（部分発光動作を行う）ようにしたものが提案されている（例えば、特許文献１参照）。このような部分発光動作の際には、入力映像信号に基づいて、バックライトにおける部分発光部単位での発光パターンを示す発光パターン信号と、部分駆動用映像信号とがそれぞれ生成されるようになっている。
【先行技術文献】
【特許文献】
【０００５】
【特許文献１】特開２００１−１４２４０９号公報
【特許文献２】特開２００３−１８９２５７号公報
【発明の概要】
【発明が解決しようとする課題】
【０００６】
ところで、近年、液晶表示装置では、動画像表示時の残像感を軽減すること等を目的として、動き補償を用いたフレーム補間（動き補償型）による高フレームレート変換処理を行った後に映像表示を行う手法が提案されている（例えば、特許文献２参照）。この手法では、例えば動きベクトルを利用して、前後の２フレーム（オリジナルフレーム）の中間映像を補間生成する（補間フレームを生成する）ことにより、高フレームレート変換処理を行っている。
【０００７】
そこで、このような映像信号の高フレームレート変換処理を行いつつ、上記した部分発光動作を用いた映像表示を行うことが考えられる。ただし、高フレームレート変換処理を用いた映像表示の際に、従来の部分発光動作をそのまま適用した場合、例えば以下の問題が生じることが予想される。
【０００８】
すなわち、まず、高フレームレート変換処理後の映像信号では、元の映像信号と比べてフレームレートが高くなっているため、その変換処理後の映像信号を用いてその後の処理を行う際に、処理負担が大きくなる。したがって、高フレームレート変換処理を行う順序によっては、そのような処理負担が過大となってしまい、回路規模が大きくなったりすること等からコストが増大してしまうことになる。
【０００９】
また、高フレームレート変換処理により生成される補間フレームにおいて、場合によっては上記した発光パターン信号と部分駆動用映像信号との間で、高フレームレート変換処理の手法の違いによる位置不整合性に起因した、画質劣化が生じてしまうと考えられる。具体的には、まず、部分駆動用映像信号を生成する際には、上記した画質向上を目的として、動き補償型の高フレームレート変換処理を行うと考えられる。一方、発光パターン信号を生成する際には、要求される性能を考慮すると、オリジナルフレームをそのまま重ねて用いてフレーム補間を行う、重ね書き型の高フレームレート変換処理を行うと考えられる。したがって、場合によっては、このようにして生成された発光パターン信号と部分駆動用映像信号との間での補間フレームにおける位置不整合性に起因して、画質劣化が生じ得る。
【００１０】
以上のことから、部分発光動作を行う光源を用いて高フレームレート変換処理を行いつつ映像表示を行う際に、低コスト化を図りつつ表示画質の向上を可能とする手法の提案が望まれる。
【００１１】
本発明はかかる問題点に鑑みてなされたもので、その目的は、部分発光動作を行う光源部を用いて映像表示を行う際に、低コスト化を図りつつ表示画質を向上させることが可能な液晶表示装置を提供することにある。
【課題を解決するための手段】
【００１２】
本発明の液晶表示装置は、互いに独立して制御可能であるように構成された複数の部分発光部を有する光源部と、この光源部から部分発光部単位で射出された光を入力映像信号に基づいて変調することにより映像表示を行う液晶表示パネルと、入力映像信号に基づいて、光源部における部分発光部単位での発光パターンを示す発光パターン信号と、部分駆動用映像信号とをそれぞれ生成する部分駆動化処理部を有し、発光パターン信号を用いて光源部の各部分発光部に対する発光駆動を行うと共に、部分駆動用映像信号を用いて液晶表示パネルに対する表示駆動を行う表示制御部とを備えたものである。上記部分駆動化処理部は、入力映像信号に基づいて、部分発光部単位での発光パターンを示す発光パターン原信号を生成し、この発光パターン原信号に対して第１の高フレームレート変換処理を行うことにより、上記発光パターン信号を生成すると共に、入力映像信号に対して、動き補償を用いたフレーム補間による第２の高フレームレート変換処理を行い、この第２の高フレームレート変換処理後の入力映像信号と上記発光パターン信号とに基づいて、上記部分駆動用映像信号を生成する。
【００１３】
本発明の液晶表示装置では、入力映像信号に基づいて、光源部における部分発光部単位での発光パターンを示す発光パターン信号と、部分駆動用映像信号とがそれぞれ生成される。そして、発光パターン信号を用いて光源部の各部分発光部に対する発光駆動が行われると共に、部分駆動用映像信号を用いて液晶表示パネルに対する表示駆動が行われる。この際、入力映像信号に基づいて発光パターン原信号が生成された後、この発光パターン原信号に対して第１の高フレームレート変換処理がなされることにより、上記発光パターン信号が生成される。これにより、逆に、入力映像信号に対して高フレームレート変換処理を行った後にその信号に基づいて発光パターン信号を生成する場合と比べ、部分駆動化処理部全体としての小型化が図られる。また、入力映像信号に対して動き補償を用いたフレーム補間による第２の高フレームレート変換処理が行われた後、この第２の高フレームレート変換処理後の入力映像信号と上記発光パターン信号とに基づいて、上記部分駆動用映像信号が生成される。これにより、動き補償を用いたフレーム補間によって、動画像表示時の残像感が軽減されると。また、第１の高フレームレート変換処理後の信号（発光パターン信号）と、第２の高フレームレート変換処理後の入力映像信号とに基づいて部分駆動用映像信号が生成されるため、補間フレームにおける発光パターン信号と部分駆動用映像信号との間の位置不整合性に起因した画質劣化が低減もしくは回避される。
【発明の効果】
【００１４】
本発明の液晶表示装置によれば、入力映像信号に基づいて発光パターン原信号を生成した後に、この発光パターン原信号に対して第１の高フレームレート変換処理を行うことによって発光パターン信号を生成すると共に、入力映像信号に対して動き補償を用いたフレーム補間による第２の高フレームレート変換処理を行った後に、この第２の高フレームレート変換処理後の入力映像信号と上記発光パターン信号とに基づいて部分駆動用映像信号を生成するようにしたので、部分駆動化処理部全体としての小型化を図りつつ、動画像表示時の残像感を軽減することができると共に、補間フレームにおける画質劣化を低減もしくは回避することができる。よって、部分発光動作を行う光源部を用いて映像表示を行う際に、低コスト化を図りつつ表示画質を向上させることが可能となる。
【図面の簡単な説明】
【００１５】
【図１】本発明の一実施の形態に係る液晶表示装置の全体構成を表すブロック図である。
【図２】図１に示した画素の詳細構成例を表す回路図である。
【図３】図１に示した液晶表示装置における部分発光領域および部分照射領域の一例を模式的に表す分解斜視図である。
【図４】図１に示した部分駆動化処理部の詳細構成を表すブロック図である。
【図５】図４に示したフレームレート変換部における重ね書き型の高フレームレート変換（フレーム補間）処理について説明するための模式図である。
【図６】図４に示したフレームレート変換部における動き補償型の高フレームレート変換（フレーム補間）処理について説明するための模式図である。
【図７】図１に示した液晶表示装置におけるバックライトの部分発光動作の概要を表す模式図である。
【図８】比較例１に係る液晶表示装置における部分駆動化処理部の構成を表すブロック図である。
【図９】比較例２に係る液晶表示装置における部分駆動化処理部の構成を表すブロック図である。
【図１０】比較例２に係る部分発光動作を用いた映像表示の一例を表す模式図である。
【図１１】比較例２に係る部分発光動作を用いた映像表示の際の問題点について説明するための模式図である。
【図１２】実施の形態に係る部分発光動作を用いた映像表示の一例を表す模式図である。
【図１３】本発明の変形例１に係る部分駆動化処理部の構成を表すブロック図である。
【図１４】本発明の変形例２に係る部分駆動化処理部の構成を表すブロック図である。
【図１５】本発明の他の変形例に係るバックライトにおける部分発光動作を表す模式図である。
【発明を実施するための形態】
【００１６】
以下、本発明の実施の形態について、図面を参照して詳細に説明する。なお、説明は以下の順序で行う。
１．実施の形態（映像信号の高フレームレート変換処理を行いつつ、部分発光動作を用いた映像表示を行う例）
２．変形例
変形例１，２（部分駆動化処理部におけるフレームレート変換部の他の配置例）
その他の変形例（エッジライト型のバックライトの例等）
【００１７】
＜実施の形態＞
［液晶表示装置１の全体構成］
図１は、本発明の一実施の形態に係る液晶表示装置（液晶表示装置１）の全体のブロック構成を表すものである。
【００１８】
液晶表示装置１は、外部から入力される入力映像信号Ｄinに基づいて映像表示を行うものである。この液晶表示装置１は、液晶表示パネル２、バックライト３（光源部）、映像信号処理部４１、部分駆動化処理部４２、タイミング制御部４３、バックライト駆動部５０、データドライバ５１およびゲートドライバ５２を有している。これらのうち、映像信号処理部４１、部分駆動化処理部４２、タイミング制御部４３、バックライト駆動部５０、データドライバ５１およびゲートドライバ５２が、本発明における「表示制御部」の一具体例に対応している。
【００１９】
液晶表示パネル２は、後述するバックライト３から射出された光を入力映像信号Ｄinに基づいて変調することにより、この入力映像信号Ｄinに基づく映像表示を行うものである。この液晶表示パネル２は、全体としてマトリクス状に配列された複数の画素２０を含んでいる。
【００２０】
図２は、各画素２０内の画素回路の回路構成例を表したものである。画素２０は、液晶素子２２、ＴＦＴ素子２１および補助容量素子２３を有している。この画素２０には、駆動対象の画素を線順次で選択するためのゲート線Ｇと、駆動対象の画素に対して映像電圧（後述するデータドライバ５１から供給される映像電圧）を供給するためのデータ線Ｄと、補助容量線Ｃｓとが接続されている。
【００２１】
液晶素子２２は、データ線ＤからＴＦＴ素子２１を介して一端に供給される映像電圧に応じて、表示動作を行うものである。この液晶素子２２は、例えばＶＡ（Vertical Alignment）モードやＴＮ（Twisted Nematic）モードの液晶よりなる液晶層（図示せず）を、一対の電極（図示せず）で挟み込んだものである。液晶素子２２における一対の電極のうちの一方（一端）は、ＴＦＴ素子２１のドレインおよび補助容量素子２３の一端に接続され、他方（他端）は接地されている。補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。ＴＦＴ素子２１は、液晶素子２２および補助容量素子２３の一端同士に対し、映像信号Ｄ１に基づく映像電圧を供給するためのスイッチング素子であり、ＭＯＳ−ＦＥＴ（Metal Oxide Semiconductor−Field Effect Transistor）により構成されている。このＴＦＴ素子２１のゲートはゲート線Ｇ、ソースはデータ線Ｄにそれぞれ接続されると共に、ドレインは液晶素子２２および補助容量素子２３の一端同士に接続されている。
【００２２】
バックライト３は、液晶表示パネル２に対して光を照射する光源部であり、例えば発光素子として、ＣＣＦＬやＬＥＤなどを用いて構成されている。バックライト３は、後述するように、入力映像信号Ｄinの内容（映像パターン）に応じた発光駆動がなされるようになっている。
【００２３】
このバックライト３はまた、例えば図３に示したように、互いに独立して制御可能であるように構成された複数の部分発光領域３６（部分発光部）を有している。すなわち、このバックライト３は、部分駆動方式のバックライトにより構成されている。具体的には、バックライト３は、複数の光源が２次元的に配列されることにより複数の部分発光領域３６を有している。これにより、バックライト３は、面内方向に発光領域が縦ｎ×横ｍ＝Ｋ個（ｎ，ｍ＝２以上の整数）に分割されている。なお、この分割数は、上記した液晶表示パネル２における画素２０よりも低解像度のものとなっている。また、図３に示したように、液晶表示パネル２には、各部分発光領域３６に対応する複数の部分照射領域２６が形成されるようになっている。
【００２４】
バックライト３は、入力映像信号Ｄinの内容（映像パターン）に応じて、部分発光領域３６ごとに独立した発光制御が可能とされている。また、バックライト３における光源は、ここでは、赤色光を発する赤色ＬＥＤ３Ｒと、緑色光を発する緑色ＬＥＤ３Ｇと、青色光を発する青色ＬＥＤ３Ｂとの各色のＬＥＤを組み合わせて構成されている。ただし、光源として用いられるＬＥＤの種類としてはこれには限られず、例えば白色光を発する白色ＬＥＤを用いるようにしてもよい。なお、各部分発光領域３６には、このような光源が少なくとも１つずつ配置されている。
【００２５】
映像信号処理部４１は、各画素２０の画素信号からなる入力映像信号Ｄinに対して、例えば高画質化のための所定の画像処理（例えば、シャープネス処理やガンマ補処理など）を行うことにより、映像信号Ｄ１を生成するものである。
【００２６】
部分駆動化処理部４２は、映像信号処理部４１から供給される映像信号Ｄ１に対して所定の部分駆動化処理を行うものである。これにより、バックライト３における部分発光領域３６単位での発光パターンを示す発光パターン信号ＢＬ１と、部分駆動用映像信号Ｄ４とをそれぞれ生成するようになっている。具体的には、部分駆動化処理部４２は、映像信号Ｄ１に基づいて後述する所定の高フレームレート変換処理（倍速変換処理，フレーム補間処理）を行いつつ、発光パターン信号ＢＬ１および部分駆動用映像信号Ｄ４をそれぞれ生成している。なお、この部分駆動化処理部４２の詳細構成については後述する（図４〜図６）。
【００２７】
タイミング制御部４３は、バックライト駆動部５０、ゲートドライバ５２およびデータドライバ５１の駆動タイミングを制御すると共に、部分駆動化処理部４２から供給される部分駆動用映像信号Ｄ４をデータドライバ５１へ供給するものである。
【００２８】
ゲートドライバ５２は、タイミング制御部４３によるタイミング制御に従って、液晶表示パネル２内の各画素２０を、前述したゲート線Ｇに沿って線順次駆動するものである。一方、データドライバ５１は、液晶表示パネル２の各画素２０へそれぞれ、タイミング制御部４３から供給される、部分駆動用映像信号Ｄ４に基づく映像電圧を供給するものである。具体的には、部分駆動用映像信号Ｄ４に対してＤ／Ａ（デジタル／アナログ）変換を施すことにより、アナログ信号である映像信号（上記映像電圧）を生成し、各画素２０へ出力する。このようにして、部分駆動用映像信号Ｄ４に基づく表示駆動が、液晶表示パネル２内の各画素２０に対してなされるようになっている。
【００２９】
バックライト駆動部５０は、タイミング制御部４３によるタイミング制御に従って、部分駆動化処理部４２から出力される発光パターン信号ＢＬ１に基づく、バックライト３内の各部分発光領域３６に対する発光駆動（点灯駆動）を行うものである。
【００３０】
［部分駆動化処理部４２の詳細構成］
次に、図４〜図６を参照して、部分駆動化処理部４２の詳細構成について説明する。図４は、部分駆動化処理部４２のブロック構成を表したものである。この部分駆動化処理部４２は、低解像度化処理部４２１、ＢＬレベル算出部４２２（発光パターン生成部）、フレームレート変換部（倍速変換部，フレーム補間部）４２３Ａ（第１のフレームレート変換部），４２３Ｂ（第２のフレームレート変換部）、拡散部４２４およびＬＣＤレベル算出部４２５（第１の映像信号生成部）を有している。
【００３１】
低解像度化処理部４２１は、映像信号Ｄ１に対して所定の低解像度化処理を行うことにより、前述した発光パターン信号ＢＬ１の基となる映像信号Ｄ２（低解像度化信号）を生成するものである。具体的には、画素２０単位の輝度レベル信号（画素信号）により構成される映像信号Ｄ１を、画素２０と比べて低解像度である部分発光領域３６単位での輝度レベル信号に再構成することにより、映像信号Ｄ２を生成する。この際、低解像度化処理部４２１は、各部分発光領域３６内の複数の画素信号から所定の特徴量（例えば、輝度レベルの最大値や平均値、それらの合成値など）を抽出することにより、再構築を行うようになっている。
【００３２】
ＢＬレベル算出部４２２は、部分発光領域３６単位での輝度レベル信号である映像信号Ｄ２に基づいて、部分発光領域３６ごとの発光輝度レベルを算出することにより、部分発光領域３６単位での発光パターンを示す発光パターン信号ＢＬ０（発光パターン原信号）を生成するものである。具体的には、部分発光領域３６ごとに映像信号Ｄ２の輝度レベルを解析することにより、各領域の輝度レベルに応じた発光パターンを得ることが可能となっている。
【００３３】
フレームレート変換部４２３Ａは、ＢＬレベル算出部４２２により生成された発光パターン信号ＢＬ０に対して、高フレームレート変換処理（第１の高フレームレート変換処理）を行うものである。これにより、そのような高フレームレート変換処理後の発光パターン信号（前述した発光パターン信号ＢＬ１）が生成されるようになっている。具体的には、フレームレート変換部４２３Ａは、発光パターン信号ＢＬ０のオリジナルフレームをそのまま重ねて用いてフレーム補間を行うことにより（重ね書き型の高フレームレート変換処理によって）、発光パターン信号ＢＬ１を生成する。すなわち、例えば図５（Ａ），（Ｂ）に示したように、発光パターン信号ＢＬ０（例えば、６０Ｈｚまたは５０Ｈｚのフレーム周波数）のオリジナルフレーム「Ａ」，「Ｂ」，「Ｃ」，…を、そのまま重ねて用いてフレーム補間を行う。これにより、この例では、フレーム周波数が２倍（例えば、１２０Ｈｚまたは１００Ｈｚ）に変換されてなる発光パターン信号ＢＬ１（「Ａ」，「Ａ」，「Ｂ」，「Ｂ」，「Ｃ」，「Ｃ」，…）が生成されるようになっている。なお、フレームレート変換部４２３Ａにおいて、以下のフレームレート変換部４２３Ｂとは異なり、重ね書き型の高フレームレート変換処理を行うようにしているのは、以下の理由によるものである。すなわち、性能の要求を考慮すると、バックライト３側の発光パターン信号ＢＬ１では、液晶表示パネル２側の部分駆動用映像信号Ｄ４とは異なり、動画表示時の画質向上よりも回路規模の簡略化が優先されることが多いためである。
【００３４】
フレームレート変換部４２３Ｂは、映像信号Ｄ１に対して高フレームレート変換処理（第２の高フレームレート変換処理）を行うことにより、そのような高フレームレート変換処理後の映像信号Ｄ３を生成するものである。具体的には、フレームレート変換部４２３Ｂは、動き補償を用いたフレーム補間（動き補償型の高フレームレート変換処理）によって、映像信号Ｄ３を生成する。すなわち、例えば図６（Ａ），（Ｂ）に示したように、映像信号Ｄ１（例えば、６０Ｈｚまたは５０Ｈｚのフレーム周波数）のオリジナルフレーム「Ａ」，「Ｂ」，「Ｃ」，における映像の動きベクトルを利用して、前後のオリジナルフレームの中間映像を補間生成する。具体的には、この例では、図６（Ｂ）中に示した補間フレーム「（Ａ＋Ｂ）／２」，「（Ｂ＋Ｃ）／２」，…を生成する。これにより、フレーム周波数が２倍（例えば、１２０Ｈｚまたは１００Ｈｚ）に変換されてなる映像信号Ｄ３（「Ａ」，「（Ａ＋Ｂ）／２」，「Ｂ」，「（Ｂ＋Ｃ）／２」，「Ｃ」，…）が生成されるようになっている。なお、図中に「（Ａ＋Ｂ）／２」，「（Ｂ＋Ｃ）／２」で示した、補間生成された中間映像は、便宜的に表現したものであり、実際の算出式を示したものではない。
【００３５】
拡散部４２４は、フレームレート変換部４２３Ａから出力される発光パターン信号ＢＬ１に対して所定の拡散処理を行い、拡散処理後の発光パターン信号ＢＬ２をＬＣＤレベル算出部４２５へ出力するものであり、部分発光領域３６単位の信号から画素２０単位の信号への変換を行っている。この拡散処理は、バックライト３内の実際の光源（ここでは各色のＬＥＤ）における輝度分布（光源からの光の拡散分布）を考慮してなされる処理である。
【００３６】
ＬＣＤレベル算出部４２５は、フレームレート変換部４２３Ｂから出力される映像信号Ｄ３と、拡散処理後の発光パターン信号ＢＬ２とに基づいて、部分駆動用映像信号Ｄ４を生成するものである。具体的には、映像信号Ｄ３の信号レベルを拡散処理後の発光パターン信号ＢＬ２で除算することにより、部分駆動用映像信号Ｄ４を生成している。詳細には、ＬＣＤレベル算出部４２５は以下の（１）式を用いて、映像信号Ｄ４を生成するようになっている。
Ｄ４＝（Ｄ３／ＢＬ２）  ……（１）
【００３７】
ここで、上記（１）式により、原信号（映像信号Ｄ３）＝（発光パターン信号ＢＬ２×部分駆動用映像信号Ｄ４）という関係が得られる。このうち、（発光パターン信号ＢＬ２×部分駆動用映像信号Ｄ４）の物理的意味は、ある発光パターンで点灯されたバックライト３における各部分発光領域３６の画像イメージに、部分駆動用映像信号Ｄ４の画像イメージを重ね合わせるというものである。これにより、詳細は後述するが、液晶表示パネル２における透過光の明暗分布を相殺し、本来の表示（原信号による表示）を目視することと等価となる。
【００３８】
［液晶表示装置１の作用・効果］
続いて、本実施の形態の液晶表示装置１の作用および効果について説明する。
【００３９】
（１．部分発光動作の概要）
この液晶表示装置１では、図１に示したように、まず、映像信号処理部４１が入力映像信号Ｄinに対して所定の画像処理を行うことにより、映像信号Ｄ１を生成する。次に、部分駆動化処理部４２は、この映像信号Ｄ１に対して所定の部分駆動化処理を行う。これにより、バックライト３における部分発光領域３６単位での発光パターンを示す発光パターン信号ＢＬ１と、部分駆動用映像信号Ｄ４とが、それぞれ生成される。
【００４０】
次いで、このようにして生成された部分駆動用映像信号Ｄ４および発光パターン信号ＢＬ１はそれぞれ、タイミング制御部４３へ入力される。このうち、部分駆動用映像信号Ｄ４は、タイミング制御部４３からデータドライバ５１へ供給される。データドライバ５１は、この部分駆動用映像信号Ｄ４に対してＤ／Ａ変換を施し、アナログ信号である映像電圧を生成する。そして、ゲートドライバ５２およびデータドライバ５１から出力される各画素２０への駆動電圧によって表示駆動動作がなされる。これにより、部分駆動用映像信号Ｄ４に基づく表示駆動が、液晶表示パネル２内の各画素２０に対してなされる。
【００４１】
具体的には、図２に示したように、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、データドライバ５１から供給される部分駆動用映像信号Ｄ４に基づく映像電圧が液晶素子２２へと供給され、線順次の表示駆動動作がなされる。
【００４２】
一方、発光パターン信号ＢＬ１は、タイミング制御部４３からバックライト駆動部５０へ供給される。バックライト駆動部５０は、この発光パターン信号ＢＬ１に基づいて、バックライト３内の各部分発光領域３６に対する発光駆動（部分駆動動作）を行う。
【００４３】
このとき、映像電圧が供給された画素２０では、バックライト３からの照明光が液晶表示パネル２において変調され、表示光として出射される。これにより、入力映像信号Ｄinに基づく映像表示が、液晶表示装置１において行われる。
【００４４】
具体的には、例えば図７に示したように、バックライト３の各部分発光領域３６による発光面イメージ７１と、表示パネル２単独によるパネル面イメージ７２とが物理的に重ね合わせられた（掛け算的に合成された）合成イメージ７３が、液晶表示装置１全体として最終的に観察される映像となる。
【００４５】
（２．高フレームレート変換処理を利用した映像表示に適合した部分発光動作）
次に、図８〜図１２を参照して、本発明の特徴的部分の１つである、高フレームレート変換処理を利用した映像表示に適合した部分発光動作について、比較例（比較例１，２）と比較しつつ詳細に説明する。
【００４６】
（２−１．比較例１）
図８は、比較例１に係る液晶表示装置における部分駆動化処理部（部分駆動化処理部１０４）のブロック構成を表したものである。この比較例１の部分駆動化処理部１０４は、図４に示した本実施の形態の部分駆動化処理部４２において、フレームレート変換部４２３Ａを省く（設けない）と共に、フレームレート変換部４２３Ｂの配置位置を変更したものとなっている。具体的には、このフレームレート変換部４２３Ｂの配置位置が、部分駆動化処理部１０４内の最前段となっている。
【００４７】
この部分駆動化処理部１０４では、まず、フレームレート変換部４２３Ｂにおいて、映像信号Ｄ１に対して動き補償型の高フレームレート変換処理を行い、そのような高フレームレート変換処理後の映像信号Ｄ１０２を生成する。次に、低解像度化処理部４２１において、この映像信号Ｄ１０２に対して低解像度化処理を行い、映像信号Ｄ１０３を生成する。次いで、ＢＬレベル算出部４２２がこの映像信号Ｄ１０３に基づいて、部分発光領域３６単位での発光パターンを示す発光パターン信号ＢＬ１０１を生成する。また、拡散部４２４では、ＢＬレベル算出部４２２から出力される発光パターン信号ＢＬ１０１に対して拡散処理を行い、拡散処理後の発光パターン信号ＢＬ１０２をＬＣＤレベル算出部４２５へ出力する。そして、ＬＣＤレベル算出部４２５は、上記した高フレームレート変換処理後の映像信号Ｄ１０２と、拡散処理後の発光パターン信号ＢＬ１０２とに基づいて、部分駆動用映像信号Ｄ１０４を生成する。具体的には、ＬＣＤレベル算出部４２５は、本実施の形態と同様にして以下の（２）式を用いることにより、映像信号Ｄ１０４を生成する。
Ｄ１０４＝（Ｄ１０２／ＢＬ１０２）  ……（２）
【００４８】
ここで、この比較例１の部分駆動化処理部１０４では、低解像度化処理部４２１およびＢＬレベル算出部４２２の側への入力信号である映像信号Ｄ１０２が、フレームレート変換部４２３Ｂによる高フレームレート変換処理後の映像信号となっている。したがって、この映像信号Ｄ１０２では、元の映像信号（映像信号Ｄ１）と比べてフレームレートが高くなっている（例えば、１２０Ｈｚや１００Ｈｚのフレーム周波数）ことから、映像信号Ｄ１０２を用いてその後の処理を行う際に、処理負担が大きくなる。具体的には、低解像度化処理や発光パターン信号ＢＬ１０１の算出処理の際に、クロック周波数を高くしたり、２相／４相等での処理を行ったりする必要が生じる。このため、低解像度化処理部４２１およびＢＬレベル算出部４２２における処理負担が過大となり、これらの部分の回路規模が大きくなったりすること等から、コストが増大してしまうことになる。
【００４９】
このことは、例えばフレームレート変換部４２３Ｂ以降のブロックを１チップ化することに対して、大きな阻害要因となる。また、例えば部分発光動作機能の有無に応じた製品のラインナップ展開を考えた場合においても、以下の問題が生じる。すなわち、この場合、低解像度化処理部４２１およびＢＬレベル算出部４２２を含む第１のＬＳＩ（Large Scale Integration）と、フレームレート変換部４２３Ｂ、拡散部４２４およびＬＣＤレベル算出部４２５を含む第２のＬＳＩとの２チップ構成が考えられる。また、あるいは、低解像度化処理部４２１、ＢＬレベル算出部４２２および拡散部４２４を含む第１のＬＳＩと、フレームレート変換部４２３ＢおよびＬＣＤレベル算出部４２５を含む第２のＬＳＩとの２チップ構成が考えられる。これらの２チップ構成では、双方の場合とも、第１のＬＳＩの回路規模が大きくなり、高価格なＬＳＩとなってしまう。
【００５０】
（２−２．比較例２）
一方、図９は、比較例２に係る液晶表示装置における部分駆動化処理部（部分駆動化処理部２０４）のブロック構成を表したものである。この比較例２の部分駆動化処理部２０４は、図４に示した本実施の形態の部分駆動化処理部４２において、フレームレート変換部４２３Ａ，４２３Ｂの配置位置をそれぞれ変更したものとなっている。具体的には、これらのフレームレート変換部４２３Ａ，４２３Ｂの配置位置がそれぞれ、部分駆動化処理部２０４内の最後段となっている。
【００５１】
この部分駆動化処理部２０４では、まず、低解像度化処理部４２１において、本実施の形態と同様にして映像信号Ｄ１に対して低解像度化処理を行い、映像信号Ｄ２を生成する。次に、本実施の形態と同様に、ＢＬレベル算出部４２２がこの映像信号Ｄ２に基づいて、発光パターン信号ＢＬ０（発光パターン原信号）を生成する。次いで、フレームレート変換部４２３Ａは、この発光パターン信号ＢＬ０に対して重ね書き型の高フレームレート変換処理を行い、発光パターン信号ＢＬ２０１を生成する。また、拡散部４２４では、発光パターン信号ＢＬ０に対して拡散処理を行い、拡散処理後の発光パターン信号ＢＬ２０２をＬＣＤレベル算出部４２５へ出力する。一方、ＬＣＤレベル算出部４２５は、映像信号Ｄ１と、拡散処理後の発光パターン信号ＢＬ２０２とに基づいて、映像信号Ｄ２０３を生成する。具体的には、ＬＣＤレベル算出部４２５は、本実施の形態と同様にして以下の（３）式を用いることにより、映像信号Ｄ２０３を生成する。そして、フレームレート変換部４２３Ｂは、そのようにして生成された映像信号Ｄ２０３に対して動き補償型の高フレームレート変換処理を行い、部分駆動用映像信号Ｄ２０４を生成する。
Ｄ２０３＝（Ｄ１／ＢＬ２０２）  ……（３）
【００５２】
この比較例２の部分駆動化処理部２０４では、低解像度化処理部４２１およびＢＬレベル算出部４２２の側への入力信号である映像信号Ｄ１０２が、高フレームレート変換処理前の低フレームレート（例えば、６０Ｈｚや５０Ｈｚのフレーム周波数）の映像信号となっている。このため、上記比較例１とは異なり、低解像度化処理や発光パターン信号ＢＬ０の算出処理の際に、クロック周波数を高くしたり、２相／４相等での処理を行ったりする必要はなく、比較例１のような回路規模の増大は生じない。
【００５３】
ところが、この比較例２では、高フレームレート変換処理により生成される補間フレームにおいて、発光パターン信号ＢＬ２０１と部分駆動用映像信号Ｄ２０４との間での位置不整合性に起因して、以下説明する表示画質劣化の問題が生じてしまう。
【００５４】
ここで、部分駆動化処理部２０４へ入力される映像信号Ｄ１が、全体的に暗い（グレーレベルの）背景内に存在する小さな明るい物体が画面内の左側から右側へと徐々に移動していく動画像を表すものとなっている場合について考える。
【００５５】
図１０は、この場合における、比較例２の液晶表示装置における部分発光動作をタイミング図で模式的に表したものである。この図１０において、（Ａ）は映像信号Ｄ１を、（Ｂ）は発光パターン信号ＢＬ０を、（Ｃ）は発光パターン信号ＢＬ２０２を、（Ｄ）は映像信号Ｄ２０３（＝Ｄ１／ＢＬ２０２）を、（Ｅ）は部分駆動用映像信号Ｄ２０４を、（Ｆ）は発光パターン信号ＢＬ２０１を、それぞれ示している。また、（Ｇ）はバックライト３における実際の輝度分布（ＢＬ輝度分布）を、（Ｈ），（Ｉ）は実際に目視される画像（＝Ｄ２０４×ＢＬ輝度分布）を、それぞれ示している。なお、（Ｂ）〜（Ｈ）において、横軸は、（Ａ），（Ｉ）中のＡ−Ａ線もしくはＢ−Ｂ線、または（Ｉ）中のＣ−Ｃ線もしくはＤ−Ｄ線に沿った水平方向の画素位置を示している。また、（Ａ），（Ｉ）において、縦軸は画面の縦方向（垂直方向）の画素位置を示し、（Ｂ）〜（Ｈ）において、縦軸はレベル軸を示している。
【００５６】
この比較例２では、上記したように、フレームレート変換部４２３Ａによって、発光パターン信号ＢＬ０に対して重ね書き型の高フレームレート変換処理がなされることにより、発光パターン信号ＢＬ２０１が生成される（図１０（Ｂ），（Ｆ）参照）。したがって、図１０（Ｆ）に示したように、１／１２０（秒）のフレーム（補間フレーム）における発光パターンと、０／１２０（秒）のフレーム（オリジナルフレーム）における発光パターンとが、それぞれ同一となっている。同様に、３／１２０（秒）のフレーム（補間フレーム）における発光パターンと、２／１２０（秒）のフレーム（オリジナルフレーム）における発光パターンとが、それぞれ同一となっている。
【００５７】
一方、フレームレート変換部４２３Ｂでは、映像信号Ｄ２０３に対して動き補償型の高フレームレート変換処理を行うことにより、部分駆動用映像信号Ｄ２０４を生成する（図１０（Ｄ），（Ｅ）参照）。したがって、例えば図１０（Ｅ）に示したように、１／１２０（秒）のフレーム（補間フレーム）における映像内の物体位置が、その前後に位置する０／１２０，２／１２０（秒）のフレーム（オリジナルフレーム）における映像内の物体位置の中間となっている。同様に、３／１２０（秒）のフレーム（補間フレーム）における映像内の物体位置は、その前後に位置する２／１２０，４／１２０（秒）のフレーム（オリジナルフレーム）における映像内の物体位置の中間となる。すなわち、部分駆動用映像信号Ｄ２０４では、上記した発光パターン信号ＢＬ２０１とは異なり、オリジナルフレームの映像と補間フレームの映像とが、互いに異なるものとなっている。
【００５８】
そして、この部分駆動用映像信号Ｄ２０４は、前述した（３）式および図９から分かるように、発光パターン信号ＢＬ２０１を生成する際の高フレームレート変換処理とは別個の高フレームレート変換処理により生成されたものとなっている。換言すると、バックライト３側のフレームレート変換部４２３Ａによる高フレームレート変換処理と、液晶表示パネル２側のフレームレート変換部４２３Ｂによる高フレームレート変換処理とが、それぞれ個別になされている。このため、比較例２の部分発光動作では、補間フレームにおいて、発光パターン信号ＢＬ２０１と部分駆動用映像信号Ｄ２０４との間での位置不整合性（正しくない組み合わせが発生すること）に起因して、以下説明する表示画質劣化の問題が生じてしまう。すなわち、この例では図１０（Ｈ）中の符号Ｐ２０１，Ｐ２０３および図１０（Ｉ）中の「×（バツ）」印で示したように、目視画像における物体や背景の一部において、期待される本来の輝度レベルと異なってしまい（本来の輝度レベルよりも高くなったり低くなったりしてしまい）、グラデーション（輝度レベルの傾斜）が生じている。
【００５９】
具体的には、図１１（Ａ）に示した目視画像（１／１２０（秒））では、符号Ｐ２０１Ａで示した画素領域において、期待される本来の輝度ベルよりも高く（明るく）なっている。また、符号Ｐ２０１Ｂ，Ｐ２０１Ｃで示した画素領域では、期待される本来の輝度ベルよりも低く（暗く）なっている。一方、図１１（Ｂ）に示した目視画像（３／１２０（秒））では、符号Ｐ２０３Ａ，Ｐ２０３Ｂで示した画素領域とも、期待される本来の輝度ベルよりも低く（暗く）なっている。なお、図１１（Ａ），（Ｂ）中の符号Ｐ２０１Ｂ，Ｐ２０３Ａで示した画素領域内のグラデーションの中心は、正確には、図１０（Ｇ）で示した、発光パターン信号ＢＬ２０１によるバックライト３の輝度分布の中心となっている。また、図１１（Ａ）中の符号Ｐ２０１Ｃで示した画素領域は、図１０（Ｈ）では輝度レベルが一定となっているように示しているが、必ずしも一定であるとは限らない。
【００６０】
（２−３．実施の形態の部分発光動作）
これに対して、本実施の形態では、部分駆動化処理部４２において、映像信号Ｄ１に基づいて発光パターン信号ＢＬ０を生成し、この発光パターン信号ＢＬ０に対して高フレームレート変換処理を行うことにより、最終的な発光パターン信号ＢＬ１を生成している。また、映像信号Ｄ１に対して、動き補償を用いたフレーム補間による高フレームレート変換処理を行い、この高フレームレート変換処理後の映像信号（映像信号Ｄ３）と上記発光パターン信号ＢＬ１とに基づいて、部分駆動用映像信号Ｄ４を生成している。これにより、本実施の形態の部分発光動作では、上記比較例１のような回路規模の増大が生じず、かつ、上記比較例２のような表示画質劣化が低減もしくは回避される（以下の例では回避されている）。以下、このような本実施の形態の部分発光動作について、詳細に説明する。
【００６１】
図１２は、図１０に示したものと同様の映像信号Ｄ１（全体的に暗い背景内に存在する小さな明るい物体が画面内の左側から右側へと徐々に移動していく動画像）を入力した場合における、本実施の形態の液晶表示装置１における部分発光動作をタイミング図で模式的に表したものである。この図１２において、（Ａ）は映像信号Ｄ１を、（Ｂ）は発光パターン信号ＢＬ０を、（Ｃ）は発光パターン信号ＢＬ１を、（Ｄ）は発光パターン信号ＢＬ２を、（Ｅ）は映像信号Ｄ３を、（Ｆ）は部分駆動用映像信号Ｄ４（＝Ｄ３／ＢＬ２）を、それぞれ示している。また、（Ｇ）はバックライト３における実際の輝度分布（ＢＬ輝度分布）を、（Ｈ），（Ｉ）は実際に目視される画像（＝Ｄ４×ＢＬ輝度分布）を、それぞれ示している。なお、（Ｂ）〜（Ｈ）において、横軸は、（Ａ），（Ｉ）中のＡ−Ａ線もしくはＢ−Ｂ線、または（Ｉ）中のＣ−Ｃ線もしくはＤ−Ｄ線に沿った水平方向の画素位置を示している。また、（Ａ），（Ｉ）において、縦軸は画面の縦方向（垂直方向）の画素位置を示し、（Ｂ）〜（Ｈ）において、縦軸はレベル軸を示している。
【００６２】
まず、本実施の形態では、フレームレート変換部４２３Ａによって、発光パターン信号ＢＬ０に対して重ね書き型の高フレームレート変換処理がなされることにより、発光パターン信号ＢＬ１が生成される（図１２（Ｂ），（Ｃ）参照）。したがって、上記比較例２と同様に、例えば図１２（Ｃ）に示したように、１／１２０（秒）のフレーム（補間フレーム）における発光パターンと、０／１２０（秒）のフレーム（オリジナルフレーム）における発光パターンとが、それぞれ同一となっている。同様に、３／１２０（秒）のフレーム（補間フレーム）における発光パターンと、２／１２０（秒）のフレーム（オリジナルフレーム）における発光パターンとが、それぞれ同一となっている。
【００６３】
一方、本実施の形態のフレームレート変換部４２３Ｂでは、映像信号Ｄ１に対して動き補償型の高フレームレート変換処理を行うことにより、映像信号Ｄ３を生成する（図１２（Ａ），（Ｅ）参照）。したがって、例えば図１２（Ｅ）に示したように、１／１２０（秒）のフレーム（補間フレーム）における映像内の物体位置が、その前後に位置する０／１２０，２／１２０（秒）のフレーム（オリジナルフレーム）における映像内の物体位置の中間となっている。同様に、３／１２０（秒）のフレーム（補間フレーム）における映像内の物体位置は、その前後に位置する２／１２０，４／１２０（秒）のフレーム（オリジナルフレーム）における映像内の物体位置の中間となる。すなわち、映像信号Ｄ３では、上記した発光パターン信号ＢＬ１とは異なり、オリジナルフレームの映像と補間フレームの映像とが、互いに異なるものとなっている。この点については、上記比較例２における部分駆動用映像信号Ｄ２０４および発光パターン信号ＢＬ２０１と同様となっている。
【００６４】
ただし、本実施の形態では比較例２とは異なり、映像信号Ｄ１に対して動き補償を用いたフレーム補間による高フレームレート変換処理を行い、この高フレームレート変換処理後の映像信号（映像信号Ｄ３）と発光パターン信号ＢＬ１とに基づいて、部分駆動用映像信号Ｄ４を生成している。具体的には、ＬＣＤレベル算出部４２５において、高フレームレート変換処理後の発光パターン信号（発光パターン信号ＢＬ１）と、高フレームレート変換処理後の映像信号（映像信号Ｄ３）とに基づいて、部分駆動用映像信号Ｄ４を生成している（図１２（Ｆ）参照）。
【００６５】
これにより本実施の形態の部分発光動作では、上記比較例２とは異なり、補間フレームにおいても、発光パターン信号ＢＬ１と部分駆動用映像信号Ｄ４との間で位置不整合性（正しくない組み合わせが発生すること）が発生しない。具体的には、この例では図１２（Ｈ）中の符号Ｐ１，Ｐ３で示したように、目視画像における物体や背景において、期待される本来の輝度レベル通りとなり、グラデーション（輝度レベルの傾斜）も生じなくなる。すなわち、補間フレームにおける発光パターン信号と部分駆動用映像信号との間の位置不整合性に起因した画質劣化が、低減もしくは回避される。
【００６６】
また、本実施の形態の部分駆動化処理部４２では、低解像度化処理部４２１およびＢＬレベル算出部４２２の側への入力信号である映像信号Ｄ２が、高フレームレート変換処理前の低フレームレート（例えば、６０Ｈｚや５０Ｈｚのフレーム周波数）の映像信号となっている。言い換えると、部分駆動化処理部４２では、映像信号Ｄ１に基づいて発光パターン信号ＢＬ０が生成された後、この発光パターン信号ＢＬ０に対して高フレームレート変換処理がなされることにより、発光パターン信号ＢＬ１が生成される。
【００６７】
これにより、上記比較例２と同様に、低解像度化処理や発光パターン信号ＢＬ０の算出処理の際に、クロック周波数を高くしたり、２相／４相等での処理を行ったりする必要は生じない。すなわち、逆に、映像信号Ｄ１に対して高フレームレート変換処理を行った後にその信号に基づいて発光パターン信号を生成している上記比較例１と比べ、部分駆動化処理部全体としての小型化が図られる（比較例１のような回路規模の増大が生じない）。
【００６８】
以上のように本実施の形態では、部分駆動化処理部４２において、映像信号Ｄ１に基づいて発光パターン信号ＢＬ０を生成した後に、この発光パターン信号ＢＬ０に対して高フレームレート変換処理を行うことによって発光パターン信号ＢＬ１を生成すると共に、映像信号Ｄ１に対して動き補償を用いたフレーム補間による高フレームレート変換処理を行った後に、この高フレームレート変換処理後の映像信号（映像信号Ｄ３）と上記発光パターン信号ＢＬ１とに基づいて部分駆動用映像信号Ｄ４を生成するようにしたので、部分駆動化処理部４２全体としての小型化を図りつつ、動き補償を用いたフレーム補間によって動画像表示時の残像感を軽減することができると共に、補間フレームにおける画質劣化を低減もしくは回避することができる。よって、部分発光動作を行う光源部を用いて映像表示を行う際に、低コスト化を図りつつ表示画質を向上させることが可能となる。また、部分発光動作を行うことにより、従来の部分発光動作の際と同様に、低消費電力化および黒輝度の改善を図ることも可能となる。
【００６９】
＜変形例＞
続いて、上記実施の形態の変形例（変形例１，２）について説明する。なお、実施の形態と同一の構成要素については同一符号を付してその説明を適宜省略する。
【００７０】
（変形例１）
図１３は、変形例１に係る液晶表示装置における部分駆動化処理部（部分駆動化処理部４２Ａ）のブロック構成を表したものである。本変形例の部分駆動化処理部４２Ａは、図４に示した実施の形態の部分駆動化処理部４２において、フレームレート変換部４２３Ａの構成を変更したものとなっている。具体的には、部分駆動化処理部４２Ａは、ＢＬレベル算出部４２２の後段に、２つの重ね書き型のフレームレート変換部４２３Ａ１（第１の高フレームレート変換部），４２３Ａ２を有している。
【００７１】
ここで、部分駆動化処理部４２ＡにおけるＬＣＤレベル算出部４２５は、本発明における「第２の映像信号生成部」の一具体例に対応し、フレームレート変換部４２３Ａ２および拡散部４２４が本発明における「信号処理部」の一具体例に対応する。
【００７２】
本変形例の部分駆動化処理部４２Ａでは、フレームレート変換部４２３Ａ１において、上記実施の形態のフレームレート変換部４２３Ａと同様に、発光パターン信号ＢＬ０に対して重ね書き型の高フレームレート変換処理を行い、発光パターン信号ＢＬ１を生成する。また、フレームレート変換部４２３Ａ２は、発光パターン信号ＢＬ０に対して、同様に重ね書き型の高フレームレート変換処理を行い、発光パターン信号ＢＬ１を生成する。次いで、拡散部４２４は、このフレームレート変換部４２３Ａ２から出力される発光パターン信号ＢＬ１に対して拡散処理を行い、発光パターン信号ＢＬ２を生成する。そして、ＬＣＤレベル算出部は、フレームレート変換部４２３Ｂによる高フレームレート変換処理後の映像信号（映像信号Ｄ３）と、この発光パターン信号ＢＬ２とに基づいて、部分駆動用映像信号Ｄ４を生成する。
【００７３】
このような構成の部分駆動化処理部４２Ａを用いた液晶表示装置においても、上記実施の形態と同様の作用により同様の効果を得ることができる。
【００７４】
また、本変形例では、バックライト３側のＬＳＩ（例えば、低解像度化処理部４２１、ＢＬレベル算出部４２２およびフレームレート変換部４２３Ａ１を含むもの）と、液晶表示パネル２側のＬＳＩ（例えば、フレームレート変換部４２３Ａ２，４２３Ｂ、拡散部４２４およびＬＣＤレベル算出部４２５を含むもの）とに分離して２チップ構成とする場合には、以下の利点も生ずる。すなわち、高フレームレート変換処理前の低フレームレート信号（映像信号Ｄ１および発光パターン信号ＢＬ０）の段階で、２つのＬＳＩに分離する構成とすることができる。よって、バックライト３側のＬＳＩの回路規模を小さくすることができると共に、バックライト３側のＬＳＩと液晶表示パネル２側のＬＳＩとのインターフェースを容易にするので、低コストで開発することが可能となる。
【００７５】
更に、本変形例では、発光パターン信号ＢＬ０に対して、フレームレート変換部４２３Ａ２による高フレームレート変換処理と、拡散部４２４による拡散処理とを、この順序で施すようにしたので、これら２つの処理を逆の順序で行っている以下の変形例２と比べ、回路規模をより小さくすることが可能となる。すなわち、拡散処理前の発光パターン信号ＢＬ１のほうが、拡散処理後の発光パターン信号と比べて低解像度の信号であることから、変形例２と比べてそのような効果を得ることが可能となる。
【００７６】
（変形例２）
図１４は、変形例２に係る液晶表示装置における部分駆動化処理部（部分駆動化処理部４２Ｂ）のブロック構成を表したものである。本変形例の部分駆動化処理部４２Ｂは、図１３に示した変形例１の部分駆動化処理部４２Ａにおいて、フレームレート変換部４２３Ａ２と拡散部４２４の配置順序を逆にしたものとなっている。すなわち、この部分駆動化処理部４２Ｂでは、ＢＬレベル算出部４２２とＬＣＤレベル算出部４２５との間に、拡散部４２４およびフレームレート変換部４２３Ａ２がこの順に配置されている。
【００７７】
ここで、部分駆動化処理部４２ＢにおけるＬＣＤレベル算出部４２５は、本発明における「第２の映像信号生成部」の一具体例に対応し、拡散部４２４およびフレームレート変換部４２３Ａ２が本発明における「信号処理部」の一具体例に対応する。
【００７８】
このような構成の部分駆動化処理部４２Ｂを用いた液晶表示装置においても、上記実施の形態と同様の作用により同様の効果を得ることができる。
【００７９】
また、本変形例においても、バックライト３側のＬＳＩと液晶表示パネル２側のＬＳＩとに分離して２チップ構成とする場合には、上記変形例１と同様の効果を得ることが可能である。
【００８０】
（その他の変形例）
以上、実施の形態および変形例を挙げて本発明を説明したが、本発明はこれらの実施の形態等に限定されず、種々の変形が可能である。
【００８１】
例えば、上記実施の形態等では、フレームレート変換部４２３，４２３Ａ１，４２３Ａ２において、重ね書き型の高フレームレート変換処理を行う場合を例に挙げて説明したが、この場合には限られない。すなわち、場合によっては、フレームレート変換部４２３，４２３Ａ１，４２３Ａ２において、フレームレート変換部４２３Ｂと同様に、動き補償型の高フレームレート変換処理を行うようにしてもよい。
【００８２】
また、上記実施の形態等では、バックライトが、光源として赤色ＬＥＤ、緑色ＬＥＤおよび青色ＬＥＤを含んで構成されている場合について説明したが、これらに加えて（またはこれらに代えて）、他の色光を発する光源を含んで構成するようにしてもよい。例えば、４色以上の色光によって構成した場合、色再現範囲を拡大し、より多彩な色を表現することが可能となる。
【００８３】
更に、上記実施の形態等では、バックライト３が、いわゆる直下型のバックライト（光源部）である場合を例に挙げて説明したが、本発明は、例えば図１５（Ａ）〜（Ｃ）に示したバックライト３−１〜３−３のような、いわゆるエッジライト型のバックライトにも適用することが可能である。具体的には、これらのバックライト３−１〜３−３は、光出射面を形成する例えば矩形状の導光板３０と、この導光板３０の側面（光出射面の側面）側に配設された複数の光源３１とを含んで構成されている。詳細には、図１５（Ａ）に示したバックライト３−１では、矩形状の導光板３０における対向する１対の側面（上下方向の側面）の各側に、複数（ここでは４つ）の光源３１が配設されている。また、図１５（Ｂ）に示したバックライト３−２では、矩形状の導光板３０における対向する１対の側面（左右方向の側面）の各側に、複数（ここでは４つ）の光源３１が配設されている。更に、図１５（Ｃ）に示したバックライト３−３では、矩形状の導光板３０における対向する２対の側面（上下左右方向の側面）の各側に、複数（ここでは４つ）の光源３１が配設されている。このような構成によりバックライト３−１〜３−３では、互いに独立して制御可能な複数の部分発光領域３６が、導光板３０の光出射面上に形成されるようになっている。
【００８４】
加えて、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【符号の説明】
【００８５】
１…液晶表示装置、２…液晶表示パネル、２０…画素、２１…ＴＦＴ素子、２２…液晶素子、２３…補助容量素子、２６…部分照射領域、３，３−１〜３−３…バックライト、３Ｒ…赤色ＬＥＤ、３Ｇ…緑色ＬＥＤ、３Ｂ…青色ＬＥＤ、３０…導光板、３１…光源、３６…部分発光領域、４１…映像信号処理部、４２，４２Ａ，４２Ｂ…部分駆動化処理部、４２１…低解像度化処理部、４２２…ＢＬレベル算出部、４２３Ａ，４２３Ａ１，４２３Ａ２，４２３Ｂ…フレームレート変換部、４２４…拡散部、４２５…ＬＣＤレベル算出部、４３…タイミング制御部、５０…バックライト駆動部、５１…データドライバ、５２…ゲートドライバ、７１…発光面イメージ、７２…パネル面イメージ、７３…合成イメージ、Ｄin…入力映像信号、Ｄ１，Ｄ３…映像信号、Ｄ２…映像信号（低解像度化信号）、Ｄ４…部分駆動用映像信号、ＢＬ０…発光パターン信号（発光パターン原信号）、ＢＬ１，ＢＬ２…発光パターン信号、Ｄ…データ線、Ｇ…ゲート線、Ｃｓ…補助容量線。
【図１】
2011221292.tif 000003
【図２】
2011221292.tif 000004
【図３】
2011221292.tif 000005
【図４】
2011221292.tif 000006
【図５】
2011221292.tif 000007
【図６】
2011221292.tif 000008
【図７】
2011221292.tif 000009
【図８】
2011221292.tif 000010
【図９】
2011221292.tif 000011
【図１０】
2011221292.tif 000012
【図１１】
2011221292.tif 000013
【図１２】
2011221292.tif 000014
【図１３】
2011221292.tif 000015
【図１４】
2011221292.tif 000016
【図１５】
2011221292.tif 000017